(57)【特許請求の範囲】
【請求項１】
音声フレーズが格納された可搬型の記憶媒体が着脱自在に装着される装着部と、
音声制御用の信号を仲介するポートを有し該ポートから入力される信号を検出する信号検出部と、
前記信号検出部により検出された信号に基づいて前記装着部に装着された記憶媒体に格納された音声フレーズを音声信号に変換する音声再生部とを備え、
前記信号検出部は、前記ポートから入力される信号を相互に異なる態様で検出する複数種類の信号検出手段を有し、
前記記憶媒体は、音声フレーズとともに、前記複数種類の信号検出手段の中からいずれかの信号検出手段を選択する検出態様選択情報が格納されたものであり、
前記信号検出部が、前記装着部に装着された記憶媒体に格納された検出態様選択情報に応じた信号検出手段により、前記ポートから入力された信号を検出するものであることを特徴とする音声再生装置。
【請求項２】
前記記憶媒体は、音声フレーズおよび前記検出態様選択情報とともに、前記ポートから入力され該検出態様選択情報に応じた信号検出手段により検出された信号と前記音声再生部における音声再生態様との対応関係が記述された対応テーブルが格納されたものであり、
前記音声再生部は、前記信号検出部により検出された信号が前記対応テーブルを用いて変換されてなる音声再生態様に応じた音声信号を生成するものであることを特徴とする請求項１記載の音声再生装置。
【発明の詳細な説明】
【０００１】
【発明の属する技術分野】
本発明は、音声フレーズが格納された、例えばフロッピィディスク、ＩＣメモリカード等の可搬型の記憶媒体（以下、「音声フレーズメモリ」と称する）が装着され、装着された音声フレーズメモリ中の音声フレーズを読み出して音声信号として再生する音声再生装置に関する。
【０００２】
【従来の技術】
従来より、上記のような音声フレーズメモリを入れ替えることのできるタイプの音声再生装置が知られている。このタイプの音声再生装置によれば、ハードウェア上は同一であって音声フレーズメモリを入れ替えるだけで個々のユーザの要求に対応することができ、また個々のユーザにとっても、１つの音声フレーズメモリに複数の音声フレーズを格納しておき、あるいは音声フレーズメモリを入れ替えることによって、様々な音声フレーズを再生することができ、この音声再生装置を極めて広い用途に適用することができる。
【０００３】
図１２は、上記のタイプの従来の音声再生装置の一構成例を示すブロック図である。
この図１２に示す音声再生装置１０には音声フレーズメモリ２０が着脱自在に装着される装着部１１が備えられており、この装着部１１には、音声フレーズメモリ２０、すなわち、音声フレーズが格納された可搬型の記憶媒体が着脱自在に装着される。
【０００４】
また、この図１２に示す音声再生装置１０には、音声再生回路１２が備えられており、この音声再生回路１２は装着部１１に装着された音声フレーズメモリ２０に格納された音声フレーズを読み出して音声信号を再生し、バッファ１３＿Ｌ，１３＿Ｒを介して２つの出力端子１４＿Ｌ，１４＿Ｒに出力する。これら２つの出力端子１４＿Ｌ，１４＿Ｒには、アンプやスピーカ等からなる図示しないサウンドシステムが接続され、これら２つの出力端子１４＿Ｌ，１４＿Ｒからサウンドシステムに入力された各音声信号は、最終的に、それぞれ左、右のスピーカ音声に変換されて空間に放音される。すなわち、この音声再生回路１２では、ステレオの音声信号が生成される。
【０００５】
ここで、この音声再生回路には、音声フレーズメモリ２０に複数の音声フレーズが格納されている場合に、設定されたパラメータに応じて音声フレーズを選択しその選択された音声フレーズに対応する音声信号を生成する機能や、設定されたパラメータに応じて、音声として空間に放音した場合の音量に対応する音声信号のレベル（以下、これを「音声フレーズの音量」と称する）や空間内の音像の定位位置（以下、「音声フレーズの音像位置」と称する）等を制御する機能を有している。これらのパラメータは、ＣＰＵ１５により音声再生回路１２に設定される。
【０００６】
ＣＰＵ１５は、外部との間で授受される信号を仲介するポート１５ａを有し、かつこのＣＰＵ１５には、ＣＰＵ１５で実行されるプログラムが格納されたプログラムＲＯＭ１６、およびＣＰＵ１５でプログラムが実行される際の作業領域として使用されるプログラムＲＡＭ１７が接続されている。
ＣＰＵ１５のポート１５ａには、この音声再生装置１０により生成される音声信号を制御するための制御信号をこの音声再生装置１０に入力するユーザ・インターフェース３０が接続されており、ユーザ・インターフェース３０で生成された制御信号はポート１５ａからＣＰＵ１５に入力されてＣＰＵ１５で実行されるプログラムにより検出され、その検出された制御信号に応じたパラメータが音声再生回路１２に設定される。音声再生回路１２では、上述したように、設定されたパラメータに応じた音声フレームを、指定されたパラメータに応じた音量、音像位置を有する音声信号に変換する。
【０００７】
ユーザ・インターフェースは、押ボタンスイッチ等であってもよく、例えば店舗の入口から客が店内に入ってきたことを検知する赤外線センサ等であってもよい。
【０００８】
【発明が解決しようとする課題】
近年、音声再生技術の進歩により、一層複雑で高度な再生や制御を行なうことができるようになり、その用途も急速に拡大してきている。
しかしながら、図１２に示す音声再生装置１０のＣＰＵ１５のポート１５ａは１つのポート制御プログラムでは受け付けることのできるユーザ・インターフェースのタイプ、例えば信号の数や信号の性質（例えばオン／オフ信号とアナログ信号との別、接点信号と電圧信号との別）には限りがあり、これに対し、ユーザ側が要求するユーザ・インターフェースのタイプは極めて多様である。例えば、ユーザによって、押ボタンスイッチのみでよいが多数の押ボタンスイッチにより様々な再生音声に切り替えたいという要求や、アナログ電圧信号を入力して音量や音像位置をリアルタイムで制御したいという要求等があり得る。これに対処するにあたり、ユーザが要求するユーザ・インターフェースに適合したポート制御プログラムをそのユーザ毎にプログラムＲＯＭに格納するのでは、プログラムＲＯＭがそのユーザ独自のものとなってしまい、したがって音声再生装置１０がそのユーザ向けの独自のものとなってしまい、ハードウェアの互換性が損なわれ、また、コスト高を招く結果となる。
【０００９】
本発明は、上記事情に鑑み、ハードウェアの互換性を保ちつつ、様々なユーザによる様々なタイプのユーザ・インターフェースを使いたいという要望に応えることのできる音声再生装置を提供することを目的とする。
【００１０】
【課題を解決するための手段】
上記目的を達成する本発明の音声再生装置は、
音声フレーズが格納された可搬型の記憶媒体が着脱自在に装着される装着部と、
音声制御用の信号を仲介するポートを有しそのポートから入力される信号を検出する信号検出部と、
信号検出部により検出された信号に基づいて装着部に装着された記憶媒体に格納された音声フレーズを音声信号に変換する音声再生部とを備え、
上記信号検出部は、ポートから入力される信号を相互に異なる態様で検出する複数種類の信号検出手段を有し、
上記記憶媒体は、音声フレーズとともに、複数種類の信号検出手段の中からいずれかの信号検出手段を選択する検出態様選択情報が格納されたものであり、
上記信号検出部が、装着部に装着された記憶媒体に格納された検出態様選択情報に応じた信号検出手段により、上記ポートから入力された信号を検出するものであることを特徴とする。
【００１１】
音声フレーズが格納された可搬型の記憶媒体（音声フレーズメモリ）は、ユーザ独自の音声フレーズを格納することになるため、個々のユーザによって異なる。本発明はこの点に着目したものであり、上記信号検出部に、ポートから入力される信号を相互に異なる態様で検出する複数種類の信号検出手段（例えば信号検出用プログラム等）を備えておき、一方、音声フレーズメモリ中には、音声フレーズのみでなくポートから入力される信号をどの種類の信号検出手段を用いて検出するかをあらわす検出態様選択情報を格納しておくように構成したものである。
【００１２】
このように、音声フレーズメモリ中に検出態様選択情報を格納しておき、ポートから入力される信号をその検出態様選択情報に応じた信号検出手段で検出するようにしたため、信号検出手段をいくつかの典型的な態様に限定する必要はあるものの、ハードウェア構成を変更せずに、幅広いユーザに適合した音声再生装置を提供することができる。
【００１３】
ここで、上記本発明の音声再生装置において、上記記憶媒体は、音声フレーズおよび上記検出態様選択情報とともに、ポートから入力されその検出態様選択情報に応じた信号検出手段により検出された信号と音声再生部における音声再生態様との対応関係が記述された対応テーブルが格納されたものであり、
音声再生部は、信号検出部により検出された信号が上記対応テーブルを用いて変換されてなる音声再生態様に応じた音声信号を生成するものであることが好ましい。
【００１４】
このように、音声フレーズメモリに、音声フレーズおよび上記検出態様選択情報とともに、上記の対応テーブルを格納しておくと、信号検出手段を典型的ないくつかの態様に限定しても、これらいくつかの信号検出手段と上記対応テーブルとにより、ほとんど全てのどのユーザの要求をも満足することのできる、再生音声の幅広い制御が可能となる。
【００１５】
ここで、上記「音声再生態様」には、音声フレーズメモリに複数の音声フレーズが格納されている場合にいずれの音声フレーズを再生するかという音声フレーズの選択や、音声フレーズを音声信号に変換するにあたりその音声フレーズの音量や音像位置をどのようにするかという、音声フレーズの再生に伴う様々なパラメータとの双方が含まれる。
【００１６】
【発明の実施の形態】
以下、本発明の実施形態について説明する。
図１は、本発明の音声再生装置の一実施形態の構成を示すブロック図である。
この図１に示すブロック図上では、図１２に示す従来の音声再生装置のブロック図と比べ、装着部１１からＣＰＵ１５に向う情報の流れを示すライン１８が一本追加されているだけであるが、音声フレーズメモリ２０に格納された情報や、プログラムＲＯＭ１６に格納された、ＣＰＵ１５で実行されるプログラム等に、従来の音声再生装置との相違が存在する。以下、それら相違点について説明する。
【００１７】
図２は、ＣＰＵ１５からみたときのアドレス空間を示す図である。
本実施形態では、‘００００００’番地から‘１ＦＦＦＦＦ’番地までは、プログラムＲＯＭ１６に割り当てられたアドレス空間（プログラムＲＯＭ領域）であり、‘２０００００’番地から‘２０ＦＦＦＦ’番地までは、プログラムＲＡＭ１７に割り当てられたアドレス空間（プログラムＲＡＭ領域）であり、‘２１００００’番地から‘２４ＦＦＦＦ’番地までは音声フレーズメモリ２０に割り当てられたアドレス空間（音声フレーズメモリ領域）である。
【００１８】
この音声フレーズメモリ領域は、さらに、‘２１００００’番地の１ワードからなる検出態様選択情報格納領域、‘２１０００１’番地から‘２１００４０’番地からなる対応テーブル格納領域、‘２１００４１’番地から‘２４ＦＦＦＦ’番地からなる音声フレーズ格納領域に分けられる。
検出態様選択情報格納領域には、ＣＰＵ１５のポート１５ａから入力される信号の検出態様を選択する検出態様選択情報が格納されている。この検出態様選択情報の詳細については後述する。
【００１９】
また、対応テーブル格納領域には、ＣＰＵ１５のポート１５ａから入力され、検出態様選択情報に応じた検出態様で検出された信号と、音声再生回路における音声再生態様との対応関係が記述された対応テーブルが格納されている。この対応テーブルについても詳細は後述する。
さらに、音声フレーズ格納領域には複数の音声フレーズが格納されている。
【００２０】
このように、本実施形態における音声フレーズメモリ２０には、音声フレーズのみでなく、上記の検出態様選択情報および対応テーブルも格納されている。音声フレーズメモリ領域中の検出態様選択情報格納領域および対応テーブル格納領域に格納された検出態様選択情報および対応テーブルは、音声フレーズメモリ２０が装着部１１に装着され、音声再生装置１０に電源が投入された時点で動作するプログラムにより、プログラムＲＡＭ領域内に転送され、以後、プログラム領域内に転送された情報が参照される。
【００２１】
図３は、ＣＰＵ１５のポート１５ａから入力される信号の検出態様の第１例を示す図である。
ＣＰＵ１５のポート１５ａは、１６の端子（これらの端子１つずつもポートと称する）の総称であり、ここでは、これら１６のポートは、ポートＡ１〜Ａ８，Ｂ１〜Ｂ８と名づけるものとする。これら１６のポートの内、ポートＡ１〜Ａ８は、入力／出力が可能な端子であり、ポートＢ１〜Ｂ８は、アナログ信号をデジタル信号に変換するＡ／Ｄ端子として使用したり、デジタルデータ（オン／オフデータ）を入力する入力端子として使用することの可能な端子である。総称としてのポート１５ａには、これら１６のポートＡ１〜Ａ８、Ｂ１〜Ｂ８のほかにグラウンド端子と正の基準電源を与える端子が存在し、ユーザインターフェース３０の例では、必要に応じて基準電源も使用される。
【００２２】
図３に示す検出態様は、検出態様選択情報格納領域に、検出態様選択情報として値‘００００’が格納されていたときに選択される検出態様であり、この検出態様は、ポートＡ１〜Ａ８の８つの端子とポートＢ１〜Ｂ８の８つの端子との間に８×８のマトリックススイッチからなるユーザ・インターフェース３０が接続されたものとして信号の検出を行なう。
【００２３】
８×８のマトリックススイッチとは、縦８本横８本の信号線の各交点（合計８×８＝６４の交点）にそれぞれスイッチボタンが配置された構造を有するものであり、この図３に示す検出態様の場合、それら６４個のスイッチボタンのうちのどのスイッチボタンが押されたかが検出される。
図４は、図３に示す検出態様に適合する対応テーブルの一例を示す図である。この図中ＳＷ１−１等は、代表的にＳＷｉ−ｊと書きあらわしたとき、ｉ行目とｊ列目との交点に配置されたスイッチをあらわし、そのスイッチボタンを押すと、そのスイッチボタンが押された旨ＣＰＵ１５で検出され、図４に示す対応テーブルが参照されて、ＣＰＵ１５から音声再生回路１２に対し、その押されたスイッチボタンに対応する命令が送られ、音声再生回路１２は、その送られてきた命令に従って動作する。例えばＳＷ１−１が押されるとアドレス‘２１０００１’（前述したように対応テーブルはプログラムＲＡＭ領域に転記されているため実際はアドレス‘２１０００１’ではなくなっているが、ここでは解り易さのため、アドレス‘２１０００１’と表現する。以下同様である）の内容が参照され、フレーズＡを再生するようＣＰＵ１５から音声再生回路１２に命令が出され、音声再生回路１２は、その命令に従って音声フレームメモリ２０から音声フレーズＡを読み出して音声信号を生成する。また、ＳＷ８−８が押されると、アドレス‘２１００４０’の内容が参照され、今から再生しようとする、あるいは再生中のフレーズの音量が１ステップ分上げられる。
【００２４】
図５は、ＣＰＵ１５のポート１５ａから入力される信号の検出態様の第２例を示す図である。
この図５を参照して説明する検出態様は、検出態様選択情報格納領域に検出態様選択情報として値‘０００１’が格納されていたときに選択される検出態様であり、この検出態様では、ポートＡ１〜Ａ４の４つの端子とポートＡ５〜Ａ８の４つの端子との間に配線された４×４のマトリックススイッチ３０ａと、ポートＢ１〜Ｂ８のそれぞれに配線された８つのメークスイッチ３０ｂとからなるユーザ・インターフェース３０が接続されたものとして信号の検出を行なう。
【００２５】
４×４のマトリックススイッチとは、縦４本横４本の信号線の各交点（合計４×４＝１６の交点）にそれぞれスイッチボタンが配置された構造を有するものであり、ＣＰＵ１５では、それら１６個のスイッチボタンのうちのどのスイッチが押されたかが検出される。
また、メークスイッチ３０ｂは、各ポートＢ１〜Ｂ８についてそれぞれ独立に各１つずつ、合計８つ備えられており、メークスイッチがオフのときは対応するポートに‘Ｈ’レベルの電圧信号が入力され、メークスイッチがオンのときは対応するポートに‘Ｌ’レベルの電圧信号が入力されるように構成されている。ＣＰＵ１５では、各メークスイッチのオン／オフが検出される。
【００２６】
図６は、図５に示す検出態様に適合する対応テーブルの一例を示す図である。この図中、ＳＷ１−１等は、代表的にＳＷｉ−ｊと書きあらわしたとき、４×４のマトリックススイッチのｉ行目とｊ列目との交点に配置されたスイッチボタンをあらわし、そのスイッチボタンが押されるとそのスイッチボタンが押された旨ＣＰＵ１５で検知され、図６に示す対応テーブルが参照されて、ＣＰＵ１５から音声再生回路１２に対し、その押されたスイッチボタンに対応する命令が送られ、音声再生回路１２は、その送られた命令に従って動作する。例えばＳＷ１−１が押されると、アドレス‘２１０００１’の内容が参照され、フレーズＡが一回だけ再生されるように、ＣＰＵ１５から音声再生回路１２にその旨の命令が出され、音声再生回路１２は、その命令に従って音声フレームメモリ２０から音声フレーズＡを読み出して音声信号を生成し、その音声フレーズＡの最終まで読み出すと音声信号の生成を停止する。またＳＷ４−４が押されると、これから再生しようとしている、あるい現在再生中の音声フレーズの音量が‘５０’に設定される。
【００２７】
また、図６中、メークＳＷｌ等は、代表的にメークＳＷｉと書きあらわしたとき、８つのポートＢ１〜Ｂ８にそれぞれ接続された８つのメークスイッチのうちのｉ番目のメークスイッチをあらわし、そのメークスイッチがオン状態に変化すると、そのメークスイッチがオン状態に変化した旨ＣＰＵ１５で検出され、４×４のマトリックススイッチの場合と同様に、図６に示す対応テーブルが参照されてＣＰＵ１５から音声再生回路１２に対し、そのオン状態に変化したメークスイッチに対応する命令が送られ、音声再生回路１２は、その送られてきた命令に従って動作する。例えばメークＳＷ８がオン状態に変化するとアドレス‘２１００１８’の内容が参照され、フレーズＨをループ再生（その音声フレーズを最後まで再生したら再びその音声フレーズの先頭から再生を開始する再生方法をいう）するようＣＰＵ１５から音声再生回路１２に命令が出され、音声再生回路１２は、その命令に従って、音声フレームメモリ２０から音声フレーズＨを繰り返し読み出して音声信号を再生する。
【００２８】
このメークスイッチは、例えば赤外線センサで人の有無を検知したり、その他のセンサによる検知の有無を入力するのに適している。一方、マトリックススイッチは、人間によるスイッチ操作に適しており、ポートの数に比べ多数のスイッチを配置することが可能である。
図７は、ＣＰＵ１５のポート１５ａから入力される信号の検出態様の第３例を示す図である。
【００２９】
この図７を参照して説明する検出態様は、検出態様選択情報格納領域に検出態様選択情報として値‘０００２’が格納されていたときに選択される検出態様であり、この検出態様では、ポートＡ１〜Ａ８のそれぞれに配線されたメークスイッチ３０ｂと、ポートＢ１〜Ｂ８のそれぞれに配線されたボリウム３０ｃとからなるユーザ・インターフェース３０が接続されたものとして検出を行なう。
【００３０】
メークスイッチ３０ｂについては、説明済であり、重複説明は省略する。
ボリウム３０ｃは、ポートＢ１〜Ｂ８のそれぞれに１つずつ配線され、操作量あるいは操作位置に応じたアナログ電圧を対応するポートに供給するものである。ポートＢ１〜Ｂ８の各ポートは、接続されたボリウムから供給されたアナログ電圧をＡ／Ｄ変換によりディジタルのデータとしてＣＰＵ１５の内部に取り込む。
【００３１】
図８は、図７に示す検出態様に適合する対応テーブルの一例を示す図である。
この図中、メークスイッチについては、前述したため説明は省略する。
各ボリウム１〜８は、各ポートＢ１〜Ｂ８にそれぞれ接続されたボリウムをあらわしている。
例えばボリウム１が操作されると、その操作後のボリウム１からポートＢ１に供給されるアナログ電圧値がＡ／Ｄ変換を介してＣＰＵ１５により読み取られ、アドレス‘２１００１１’の内容が参照されて、フレーズＡの音量をその読み取った電圧値に対応したレベルに設定するよう、ＣＰＵ１５から音声再生回路１２に命令が出され、音声再生回路１２は、フレーズＡを再生する際は、その命令に応じた音量で再生する。
【００３２】
このように、本実施形態では、アナログ値を入力する検出態様を選択することもできる。
図９は、図１に示す音声再生装置に電源が投入された際に実行されるルーチンのフローチャートである。
ステップＡ＿１では、音声再生回路１２が所定の初期状態に設定され、ステップＡ＿２ではアドレス‘２１００００’の内容、すなわち検出態様選択情報が読み込まれ、ステップＡ＿３，Ａ＿４において、その読み込んだ検出態様選択情報の値が‘００００’であるか、‘０００１’であるか、それとも‘０００２’であるかが判定される。その値が‘００００’であるか、‘０００１’であるか、それとも‘０００２であるかに応じて、対応テーブルの大きさが異なるため、それぞれ、アドレス‘２１０００１’〜‘２１００４０’の内容がプログラムＲＡＭ領域内にコピーされ、あるいはアドレス‘２１０００１’〜‘２１００１８’の値がプログラムＲＡＭ領域内にコピーされ、あるいはアドレス２１０００１’〜‘２１００１０’の内容がプログラムＲＡＭ領域内にコピーされる（ステップＡ＿５，Ａ＿６，Ａ＿７）。その後は、検出態様選択情報の値‘００００’，‘０００１’，‘０００２’に応じたメインルーチンが繰り返し実行される（ステップＡ＿８，Ａ＿９，Ａ＿１０）。各メインルーチンでは、前述した各検出態様に従った信号検出、対応テーブルの参照、および音声再生回路への命令の送信が行なわれる。
【００３３】
図１０は、図７，図８を参照して説明した検出態様の第３例において、メークＳＷ２がオン状態に変化したときに実行されるルーチンのフローチャートである。
ここでは、図８に示す対応テーブル参照されメースＳＷ２の命令であるフレーズＢの再生がＣＰＵ１５から音声再生回路１２に指示され（ステップＢ＿１）、メインルーチンに戻る。
【００３４】
図１１は、図７，図８を参照して説明した検出態様の第３例において、ボリウム１が操作されたときに実行されるルーチンのフローチャートである。
ボリウム１が操作されたことが検出されると、この図１１に示すルーチンが実行され、図８に示す対応テーブルが参照されて、ＣＰＵ１５から音声再生回路１２に向けて、先ず、フレーズＡの音声の変更指示がなされ（ステップＣ＿１）、次いで、ボリウム１の操作後の値が送信される。これにより、音声再生回路１２は、フレーズＡの音量を、その送信されてきた値に設定する。
【００３５】
ここでは、図１０と図１１の２例のみ図示および説明を行なったが、他のイベントに関しても同様であり、ここでは説明は省略する。
尚、上記実施形態では、検出態様は３例のみ示したが、本発明における検出態様はこれらの３例に限られるものではなく、どのような検出態様をいくつ選択できるように構成してもよい。また、図４，図６，図８に示す対応テーブルも例示に過ぎず対応テーブルは、同一の検出態様（例えば図３，図５，図７に示すいずれか１つの検出態様）においても様々に構成することができる。
【００３６】
また、上記実施形態では、音声フレーズメモリに、検出態様選択情報のほか対応テーブルが格納されていたが、音声フレーズメモリに対応テーブルを格納することは必ずしも必要ではなく、例えばプログラムＲＯＭ内に格納しておく検出態様を増やすなどして、音声フレーズメモリには検出態様選択情報のみ（このほか音声フレーズは当然格納されている）を格納しておいてもよい。
【００３７】
【発明の効果】
以上説明したように、本発明によれば、ハードウェアの互換性を保ちつつ、様々なタイプのユーザ・インターフェースに応えることができる。
【図面の簡単な説明】
【図１】本発明の音声再生装置の一実施形態の構成を示すブロック図である。
【図２】ＣＰＵ１５からみたときのアドレス空間を示す図である。
【図３】ＣＰＵ１５のポート１５ａから入力される信号の検出態様の第１例を示す図である。
【図４】図３に示す検出態様に適合する対応テーブルの一例を示す図である。
【図５】ＣＰＵ１５のポート１５ａから入力される信号の検出態様の第２例を示す図である。
【図６】図５に示す検出態様に適合する対応テーブルの一例を示す図である。
【図７】ＣＰＵ１５のポート１５ａから入力される信号の検出態様の第３例を示す図である。
【図８】図７に示す検出態様に適合する対応テーブルの一例を示す図である。
【図９】図１に示す音声再生装置に電源が投入された際に実行されるルーチンのフローチャートである。
【図１０】図７，図８を参照して説明した検出態様の第３例において、メークＳＷ２がオン状態に変化したときに実行されるルーチンのフローチャートである。
【図１１】図７，図８を参照して説明した検出態様の第３例において、ボリウム１が操作されたときに実行されるルーチンのフローチャートである。
【図１２】の従来の音声再生装置の一構成例を示すブロック図である。
【符号の説明】
１０    音声再生装置
１１    装着部
１２    音声再生回路
１３＿Ｌ，１３＿Ｒ    バッファ
１４＿Ｌ，１４＿Ｒ    出力端子
１５    ＣＰＵ
１５ａ    ポート
１６    プログラムＲＯＭ
１７    プログラムＲＡＭ
１８    ライン
２０    音声フレーズメモリ
３０    ユーザ・インターフェース
【図１】
0004199327.tif 000002
【図２】
0004199327.tif 000003
【図３】
0004199327.tif 000004
【図４】
0004199327.tif 000005
【図５】
0004199327.tif 000006
【図６】
0004199327.tif 000007
【図７】
0004199327.tif 000008
【図８】
0004199327.tif 000009
【図９】
0004199327.tif 000010
【図１０】
0004199327.tif 000011
【図１１】
0004199327.tif 000012
【図１２】
0004199327.tif 000013